(57)【要約】      （修正有）【課題】メモ書きを容易にするとともに、先の月の暦を表示し、従来にないデザインを有する卓上カレンダーの構造を提供する。【解決手段】卓上カレンダー１は、上蓋２０を有して箱状に形成された載置部１０と、前記上蓋２０の中央に設置された支持棒体２３と、前記上蓋平面に形成された各溝部２１内で回転運動可能に設置された複数の球体２２と、前記支持棒体２３を貫通し前記複数の球体２２上に配置される板状体３０と、前記支持棒体２３を貫通して前記板状体３０上に複数枚を重ねて配置した紙状体４２から成るカレンダー部４０とを具備し、前記各カレンダー部４０は、日付を表示する日付部４３と、該日付が属する月を表示する当月表示部４４と、該日付が属する前月を表示する前月表示部４５と、該日付が属する後月を表示する後月表示部４６と、メモ部４７とが前記紙状体の中心を通る区画線５０で区画されて成る。【選択図】図１
0003113591.tif 000002
【実用新案登録請求の範囲】
【請求項１】
上蓋を有して箱状に形成された載置部と、
前記上蓋の中央に設置された支持棒体と、
前記上蓋平面に形成された各溝部内で回転運動可能に設置された複数の球体と、
前記支持棒体を貫通し前記複数の球体上に配置される板状体と、
前記支持棒体を貫通して前記板状体上に複数枚を重ねて配置した紙状体から成るカレンダー部と、を具備し、
前記各カレンダー部は、日付を表示する日付部と、該日付が属する月を表示する当月表示部と、該日付が属する前月を表示する前月表示部と、該日付が属する後月を表示する後月表示部と、メモ部とが前記紙状体の中心を通る区画線で区画されて成る
ことを特徴とする卓上カレンダー。
【請求項２】
前記溝部を前記球体の一部が嵌合する形状に形成して成る請求項１に記載の卓上カレンダー。
【請求項３】
各カレンダー部に形成された日付部、当月表示部、前月表示部と、後月表示部とを区画する区画線は、多数の孔を有する切取線で構成された請求項１に記載の卓上カレンダー。
【請求項４】
板状体の裏面をコーティング処理して滑り易くした請求項１に記載の卓上カレンダー。
【考案の詳細な説明】
【技術分野】
【０００１】  本考案は、机上等に置くための卓上カレンダーに関し、特に使い勝手が良好な卓上カレンダーの構造に関する。
【背景技術】
【０００２】  以前より各種の卓上カレンダーが提案されている。例えば、一月毎に形成された方形片を窓が形成されたフレーム体に挿入し一月毎に差し替えるタイプ、一日毎に廃棄する日めくりのメモ紙を束ねたタイプが存在している。
【考案の開示】
【考案が解決しようとする課題】
【０００３】
【０００４】  しかしながら上述した前者のタイプの卓上カレンダーではメモ書きする部分が少ないという欠点があり、後者のタイプのカレンダーによれば、先の月の暦をみることができないという欠点があった。【０００５】  本考案は上記実情に鑑みてなされたもので、メモ書きを容易にするとともに、先の月の履を表示するとともに、従来にないデザインを有する卓上カレンダーの構造を提供することを目的としている。
【課題を解決するための手段】
【０００６】  上記目的を達成するため請求項１の卓上カレンダーは、上蓋２０を有して箱状に形成された載置部１０と、前記上蓋２０の中央に設置された支持棒体２３と、前記上蓋平面に形成された各溝部２１内で回転運動可能に設置された複数の球体２２と、前記支持棒体２３を貫通し前記複数の球体２２上に配置される板状体３０と、前記支持棒体２３を貫通して前記板状体３０上に複数枚を重ねて配置した紙状体４２から成るカレンダー部４０と、を具備し、次の構成を含むことを特徴としている。
前記各カレンダー部４０は、日付を表示する日付部４３と、該日付が属する月を表示する当月表示部４４と、該日付が属する前月を表示する前月表示部４５と、該日付が属する後月を表示する後月表示部４６と、メモ部４７とが前記紙状体の中心を通る区画線５０で区画されて成る。【０００７】  請求項２の卓上カレンダーは、請求項１において、前記溝部２１を前記球体２２の一部が嵌合する形状に形成して成ることを特徴としている。【０００８】  請求項３は、請求項１において、各カレンダー部４０に形成された日付部４３、当月表示部４４、前月表示部４５と、後月表示部４６とを区画する区画線５０は、多数の孔を有する切取線で構成されたことを特徴としている。【０００９】  請求項４は、請求項１において、板状体３０の裏面をコーティング処理して滑り易くしたことを特徴としている。
【考案の効果】
【００１０】  本考案によれば、カレンダー部４０にメモ部４７を設け、カレンダー部４０は板状体３０上に配置され、板状体３０は複数の球体２２上に配置されているので、板状体３０が回転することでカレンダー部４０のメモ部４７の位置を自由に調整することができる。
メモ部４７は紙状体４２の区画線５０で区画されているので、メモ部のみを容易に切り取ることができる。
カレンダー部４０には当月表示部４４、前月表示部４５、後月表示部４６が表示されているので、各月の暦を容易に把握することができる。
上記のような構造の卓上カレンダーとすることにより、従来にないデザインを有することができる。
【考案を実施するための最良の形態】
【００１１】  本考案の実施の形態の一例としての卓上カレンダーについて図面を参照しながら説明する。
卓上カレンダー１は、プラスチック素材や硬質の紙体等で形成された円柱状の箱状の載置部１０に対して、その上面の開口部が上蓋２０で被冠されて構成されている。載置部１０には、取手１１が装着された引出部１２が形成され、前面にスライド移動させることで内部に小物が収容可能になっている。
上蓋２０の表面には、直角に交差する各直径上位置にそれぞれ溝部２１が形成されている。各溝部２１は、円弧状に形成され、各溝部２１には球体２２が嵌合するとともに、溝部２１内で回転運動可能に配置されている。
上蓋２０の中央には支持棒体２３が設置されている。【００１２】  上蓋２０上には、前記支持棒体２３が貫通する孔３１を有し、各球体２２上に接するように配置される板状体３０が載置されている。板状体３０は、プラスチック板や硬質紙で形成されている。板状体３０の裏面は、コーティング処理を施すことにより滑り易い面を形成し、板状体３０が回転し易くしている。
また、支持棒体２３には、その周囲を覆うように、棒状体３３が装着されている。【００１３】  そして、板状体３０上には、支持棒体２３及び棒状体３３を貫通する孔４１を有する複数枚の紙状体４２から構成されるカレンダー部４０が装着されている。各紙状体４２はカレンダーを構成する一日毎に設けることで、カレンダー部４０としては３６５枚の紙状体４２が重ねて配置されている。【００１４】  カレンダー部４０を構成する各紙状体４２は、日付を表示する日付部４３と、該日付が属する月を表示する当月表示部４４と、該日付が属する前月を表示する前月表示部４５と、該日付が属する後月を表示する後月表示部４６と、メモ部４７とが紙状体４２の中心を通る区画線５０で八等分に区画された片の集合体で構成されている。
紙状体４２は毎日の日付に対応するため、３６５枚存在するが、各日毎に日付が相違するとともに、各月毎に当月表示部４４、前月表示部４５、後月表示部４６の表示が異なるようになっている。【００１５】  日付部４３は、各片の孔４１側に日付を記載し、その下方にメモ部４７を形成している。
当月表示部４４、前月表示部４５、後月表示部４６は、それぞれ月の曜日及び日付が表示（カレンダー表示）されるものである。当月表示部４４、前月表示部４５、後月表示部４６は、それぞれ孔４１側が上になるようにカレンダー表示が記載されている。【００１６】  メモ部４７は、図３に示されるように、同じものを２片形成してもよい。また、後月表示部４６の次の月を表示する後々月表示部４８を形成するものであってよい。
区画線５０は、多数の孔を有する切取線で構成することで、各片について容易に切取（切断）可能なように構成されている。【００１７】  棒状体３３には、方形フレーム３４が先端に装着された筒部３５が挿入可能になっている。方形フレーム３４は、上方が開口されたコ字型枠体を重ねたもので、コ字型枠体で挟まれるように開口側から写真や、予定表等を挿入して固定することができる。【００１８】  次に、上記構造の卓上カレンダーの使用方法について説明する。
卓上カレンダーは、図１における載置部１０、上蓋２０、板状体３０、カレンダー部４０、棒状体３３、筒部３５が一体的に連結した状態となっている。この状態において、板状体３０を上蓋２０上で回転させることにより、カレンダー部４０を任意の位置に移動させることができる。また、板状体３０を硬質部材で構成されているので、カレンダー部４０の紙状体４２に字を書く場合においても、板状体３０が下敷きのように作用し、メモ４７においてメモが取りやすいという効果がある。
また、メモ部４７は切取線で構成された区画線５０で囲まれているので、メモ部４７を切り離して使用したい場合には容易に切り取ることが可能となる。
カレンダーを捲る場合は、棒状体３３を離脱させ、カレンダー部４０を外してから最上位置の紙状体４２を最下部へ移動させ、次の日付が表示された紙状体４２が最上位置にある状態でカレンダー部４０及び棒状部３３を固定する。【００１９】  上記例では、載置部１０、上蓋２０、板状体３０、カレンダー部４０をそれぞれ円形で構成したが、日付部４３及びメモ部４７が表示できる片、当月表示部４４が記載される片、前月表示部４５が記載される片、後月表示部４６が記載される片の合計四つの片が形成できる四角形以上の八角形や六角形等の多角形で形成してもよい。
【図面の簡単な説明】
【００２０】
【図１】本考案の実施例に係る卓上カレンダーの分解構造を示す斜視説明図である。
【図２】本考案の卓上カレンダーの構成部品である板状体を示す平面説明図である。
【図３】本考案の卓上カレンダーの構成部品であるカレンダー部を示す平面説明図である。
【符号の説明】
【００２１】  １  卓上カレンダー          １０  載置部
１１  取手                    １２  引出部
２０  上蓋                    ２１  溝部
２２  球体                    ２３  支持棒体
３０  板状体                  ３１  孔
３３  棒状体                  ３４  フレーム部
３５  筒部                    ４０  カレンダー部
４１  孔                      ４２  紙状体
４３  日付部                  ４４  当月表示部
４５  前月表示部              ４６  後月表示部
４７  メモ部                  ５０  区画線
【図１】
0003113591.tif 000003
【図２】
0003113591.tif 000004
【図３】
0003113591.tif 000005